(57)【特許請求の範囲】
【請求項１】
カムの駆動で上下方向に移動する底板と、前記底板の上面に配置され、アームの駆動で互いに接近離間移動する一対のニップ板とを備え、前記一対のニップ板にまたがって載置された表紙を、前記一対のニップ板間の上方に位置決めされたシート束の糊が塗着された下端面に、前記カムの駆動で底板を押上げ移動させて貼り付けるとともに、前記アームの駆動で一対のニップ板を接近移動させて前記シート束の下端側面を両側から挟圧してなる表紙貼付機において、前記底板の押上げ高さの異なる複数のカム山を備えるカムを設け、表紙やシート束の厚みおよびシート束の下端面に塗着する糊の厚みに対応して前記複数のカム山の一つを選択してなることを特徴とする表紙貼付機。
【請求項２】
ニップ板の駆動アームの回動軸に底板の押上げ高さの異なる複数のカム山を備えたカム板が固定されていることを特徴とする請求項１に記載の表紙貼付機。
【発明の詳細な説明】
【技術分野】
【０００１】
本発明は、表紙貼付機に関するものである。
【背景技術】
【０００２】
図６は糊付け機と表紙貼付機および糊付け機と表紙貼付機を移動するクランパとからなる小型の製本機の構成を示すもので、この図６において、１はシート束、４はクランパ、５は表紙貼付機、６は糊容器、７は糊付けドラム、８はドラムの回転駆動用のモータ、９はクランパ駆動モータ、１０はねじ軸、１１はガイド棒、１２は移動台である。クランパ４は一対のクランプ板４ａ、板４ｂおよびクランプ板保持枠４ｃを有し、クランプ板保持枠４ｃは、モータ９の回転により回転するねじ軸１０に螺合し、ガイド棒１１を挿通した移動台１２に連結されている。糊付けドラム８は糊容器６に設置され、糊容器６内に収納されたホットメルト形の接着剤などの製本用の糊（図示なし）に下部が浸され、上部は糊容器６から突出し、その回転軸７ａは歯車７ｂを介してモータ８に連結されている。
【０００３】
表紙貼付機５は上下動可能の底板５ａおよび底板５ａ上に互いに接近離間する一対のニップ板５ｂを備え、一対のニップ板５ｂ上にたとえば表紙を配置し、糊付け後のシート束１の下端面に底板５ａを上動させて表紙を押し当てるとともに一対のニップ板５ｂでその下端両側側面を挟圧して表紙を貼り付ける（引用文献１）。
【０００４】
ところで、小型で簡素な製本機では、表紙貼付機５の機構も簡素化され、底板５ａは軸位置を固定した一つのカム山を有するカムの駆動によって上下方向に移動する構成とされ、底板５ａの押し上げ高さは一定となっている。そのために表紙が薄い場合や糊の塗着厚みが薄くシート束の厚みが薄い場合には表紙の押し付けが不十分であったり背が丸くなるなどし、また、反対に表紙が厚い場合や糊の塗着厚みが厚い場合には、押し付けが強すぎるために背の角が立ちすぎたり、糊が背からはみ出すなどこれらの場合には、適正な表紙の貼付を行うことができないといった問題があった。
【０００５】
このような問題を解消する手段として、カム板と底板とを直接に連動せずに、その間に揺動レバーを設け、この揺動レバーの支点をモータによって上下方向に調節するようにしたものがある（引用文献２）。しかし、このような調節機構は複雑であり、かつ設置スペースも多く必要とし、さらにはコスト高となり、小型で簡素な製本機に設置することはできないといった問題があった。
【特許文献１】特開２００２−１２７６３５号公報
【特許文献２】特開２０００−１６８２６４号公報
【発明の開示】
【発明が解決しようとする課題】
【０００６】
本発明が解決しようとする課題は、小型の製本機に適合するきわめて簡素な機構で常に適正な表紙の貼付が行えるようにし、斯かる問題を解消する点にある。
【課題を解決するための手段】
【０００７】
本発明は、カムの駆動で上下方向に移動する底板と、前記底板の上面に配置され、アームの駆動で互いに接近離間移動する一対のニップ板とを備え、前記一対のニップ板にまたがって載置された表紙を、前記一対のニップ板間の上方に位置決めされたシート束の糊が塗着された下端面に、前記カムの駆動で底板を押上げ移動させて貼り付けるとともに、前記アームの駆動で一対のニップ板を接近移動させて前記シート束の下端側面を両側から挟圧してなる表紙貼付機において、前記底板の押上げ高さの異なる複数のカム山を備えるカムを設け、表紙やシート束の厚みおよびシート束の下端面に塗着する糊の厚みに対応して前記複数のカム山の一つを選択してなることを主な特徴とする。
【発明の効果】
【０００８】
本発明では、底板の押上げ高さの異なる複数のカム山を備えるカムを設けるといった簡素な機構で、底板の押し上げ高さを調整することができるので、表紙の厚みや糊の塗着厚みに関係なく、常に適正な表紙の貼付を、カム板を選択するだけで簡単に行うことができる。
【発明を実施するための最良の形態】
【０００９】
小型の製本機に適合するきわめて簡素な機構で常に適正な表紙の貼付が行えるようにする目的を、位置を固定した同軸上にカム山の高さの異なる複数のカム板を設け、表紙やシート束の厚みおよびシート束の下端面に塗着する糊の厚みに対応して複数のカム板の一つを選択し、その選択したカム板で表紙貼付機の底板を上下させることにより実現した。
【実施例】
【００１０】
以下、本発明の実施例について図１〜図５を参照して説明する。図１は本発明の実施例に係る製本機の概略構成を示す斜視図、図２は本発明の実施例に係る表紙貼付機の斜視図である。なお、図６に示す製本機と対応する部分には同一の符号を付している。図１に示す製本機は、シート束１を挟持するクランパ４ａ、４ｂはシート束１の長手方向に移動する構成とされ、クランパ４ａ、４ｂの移動により長手方向の端部から順に、シート束１の下端面に糊付けドラム７によって糊容器６に貯留したホットメルトの溶融糊が塗布され、一対のニップ板５ｂ間で底板５ａの上方に位置決めされる。
【００１１】
そのあと、一対のニップ板５ｂにまたがって載置された表紙Ｈを、一対のニップ板５ｂを配置した底板５ａを押上げ移動させ、糊が塗着されたてシート束の下端面に貼付け、同時に一対のニップ板５ｂを接近移動させて前記シート束１の下端側面を両側から挟圧して貼付け、シート束１の背を形成する。
【００１２】
底板５ａと一対のニップ板５ｂを備える表紙貼付機は、図２に示すように構成されている。すなわち、図２において、５ｃは基台、５ｄは基台５ｃを支持する枢着軸、５ｅはニップ板５ｂの裏面に固定されたローラ、１３ａは片側のニップ板５ｂを駆動するアーム、１３ｂは他の片側のニップ板５ｂを駆動するアーム、１４ａはアーム１３ａを回動する回動軸、１４ｂはアーム１３ｂを回動する回動軸である。回動軸１４ａおよび１４ｂは、図示しないモータにより互いに逆方向に回動し、アーム１３ａおよび１３ｂの先端部を接近および離間させる。アーム１３ａおよび１３ｂの先端部は一対のニップ板５ｂのそれぞれに固定されたローラ５ｄと当接しており、アーム１３ａおよび１３ｂの先端部の接近および離間により、一対のニップ板５ｂは互いに接近および離間する。
【００１３】
１５はカムフロア、１６はカムフロア保持板、１７は第１のカム、１８は第１のカムのカム山を低くした第２のカムである。第１のカム１７と第２のカム１８は、アーム１３ａを回動する回動軸１４ａの両側の端部に、カムの谷を合わせて嵌合固定され、カムフロア保持板１６は両側のそれぞれから伸びる先端部にカムフロア１５が取付けられ、後端面は基台５ｃの裏面に摺動可能に固定され、その中央部に突出する操作レバー１６ａが取り付けられており、両側のカムフロア１５のそれぞれは第１のカム１７または第２のカム１８のカム面に押圧当接するとともに、支持軸を介して底板５ａに固定されている。なお、１９ａ、１９ｂは表紙位置決めレバーである
【００１４】
以上の構成で、たとえばカムフロア１５がカム山の高い第１のカム１７のカム面に当接している状態で、シート束１の下端面に塗着した糊の厚みが厚い場合、底板５ａの最低位置、すなわちカムフロア１５が第１のカム１７の谷と当接しているとき、操作レバー１６ａを操作してカムフロア１５を移動し、図３に示すようにカムフロア１５をカム山の低い第２のカム１８のカム面に当接させる。カムフロア１５が第２のカム１８の谷へ平行移動した状態で製本機を駆動し、シート束Ｈの糊が塗着された下端面が、一対のニップ板５ｂ間で底板５ａの上方に位置決めされると、回動軸１４ａおよび１４ｂが回動する。その回動でカム１７および１８が回転し、第２のカム１８と当接するカムフロア１５が押上げられ、底板５ａはカム１８のカム山の高さに対応する位置まで押上げ移動し、同時にアーム１３ａおよび１３ｂの先端部が互いに接近し、これと連動する一対のニップ板５ｂは互いに接近してシート束Ｈの下端側面を両側から挟圧する。この場合、底板５ａの押上げ高さが低くなるので背の角が立ち過ぎたり、糊が背からはみ出すことを防止することができる。
【００１５】
また、たとえばカムフロア１５がカム山の低い第２のカム１８のカム面に当接している状態で、シート束１の下端面に塗着した糊の厚みが薄くシート束１の厚みが薄い場合、底板５ａの最低位置、すなわちカムフロア１５が第２のカム１８の谷と当接しているとき、操作レバー１６ａを操作してカムフロア１５を移動し、図４および図５に示すようにカムフロア１５をカム山の高い第１のカム１７のカム面に当接させる。カムフロア１５が第１のカム１７の谷へ平行移動した状態で製本機を駆動し、シート束Ｈの糊が塗着された下端面が、一対のニップ板５ｂ間で底板５ａの上方に位置決めされると、回動軸１４ａおよび１４ｂが回動する。その回動でカム１７および１８が回転し、第１のカム１７と当接するカムフロア１５が押上げられ、底板５ａはカム１７のカム山の高さに対応する位置まで押上げ移動し、同時にアーム１３ａおよび１３ｂの先端部が互いに接近し、これと連動する一対のニップ板５ｂは互いに接近してシート束Ｈの下端側面を両側から挟圧する。この場合、底板５ａの押上げ高さが高くなるので、表紙の押し付けが不十分であったり背が丸くなるなどを防止することができる。
【００１６】
なお、以上の実施例では、山の高さの異なる２枚のカムを設け、製本の際その１枚を選択しているが、カムは２枚に限らず３枚以上の複数の山の高さの異なるカムであってもよい。この場合にはより精度の高い製本をすることができる。また、山の高さの異なるカムをそれぞれ別体に構成しているが山の高さの異なるカムを一体化した１枚のカムで構成してもよい。
【図面の簡単な説明】
【００１７】
【図１】本発明の実施例に係る製本機の概略構成を示す斜視図である。
【図２】本発明の実施例に係る表紙貼付機の斜視図である。
【図３】図２に示す表紙貼付機の説明図である。
【図４】図２に示す表紙貼付機の説明図である。
【図５】図２に示す表紙貼付機の説明図である。
【図６】従来の小型製本機の一例の概略構成を示す斜視図である。
【符号の説明】
【００１８】
５ａ  底板
５ｂ  一対のニップ板
５ｃ  基台
５ｅ  ローラ
１３ａ、１３ｂ  ニップ板駆動アーム
１４ａ、１４ｂ  回動軸
１５  カムフロア
１６  カムフロア保持板
１６ａ  操作レバー
１７  第１のカム
１８  第２のカム
【図１】
0005008475.tif 000002
【図２】
0005008475.tif 000003
【図３】
0005008475.tif 000004
【図４】
0005008475.tif 000005
【図５】
0005008475.tif 000006
【図６】
0005008475.tif 000007